(57)【特許請求の範囲】
【請求項１】
少なくとも１つの眉描き用テンプレート部を有し、該テンプレート部は、眉頭部、眉山部及び眉尻部から成る眉の形状に形成された眉形の開口部を有し、該開口部は、開口と少なくとも一つのマスク部とを有し、該マスク部は、開口部の周縁部から開口部の眉形を原形とする開口の一部の領域を占めるように形成され、そのマスク部により、開口部の眉形を原形とする開口は、その原形である眉形の一部が欠けた眉形に形成されていることを特徴とする眉描き補助具。
【請求項２】
マスク部の領域が、開口部の眉頭部の開口の一部を占めている請求項１記載の眉描き補助具。
【請求項３】
マスク部と開口部の境界に、開口部の輪郭を示すラインが開口部の周縁部から連続するように表わされている請求項１又は請求項２項記載の眉描き補助具。
【請求項４】
開口部の周縁部の周囲に所定の距離を置いて、眉描き補助具の弾性力を補強するための弾性補強部が延在している請求項１乃至請求項３のいずれか一項記載の眉描き補助具。
【請求項５】
開口部の開口を複数の小開口に分割する仕切り部が開口部に設けられている請求項１乃至請求項４のいずれか一項記載の眉描き補助具。
【請求項６】
眉描き補助具は、可撓性を有するプラスチックで一体に形成されている請求項１乃至請求項５のいずれか一項記載の眉描き補助具。
【発明の詳細な説明】
【技術分野】
【０００１】
本発明は、好みの眉を容易に描くことができる眉描き補助具に関する。
【背景技術】
【０００２】
従来の眉描き補助具は、眉形の開口が形成され、補助具を顔に宛がい開口をアイブローペンシルでなぞって眉を描くものである。さらに、開口部に仕切り部を設けることによって、この仕切り部が開口部を分断して眉山を特定できるものになるとともに、開口部の強度を保つための役割も果たしているものもある。開口部を分断することにより開口は複数の小開口に分割されるので、そのような補助具の使用方法としては、まず、小開口ごとにアイブローペンシルでなぞることにより分割された複数の小眉を描く。次に、小眉が描かれた後に補助具を顔から外し、それらの小眉を連結させるために再度アイブローペンシルで仕切りの部分を着色することにより眉を完成させる方法がある。
【０００３】
そのほかに、３つの小開口を通して、アイブローパウダーで段階的に色を変えて眉を描くことにより、より自然で立体的な眉メイクを行うことができるとするものもある。すなわち、小開口ごとに異なる色彩で眉描きをすることによって、綺麗な眉を描こうとするものである。従来の眉描き補助具は、このように異なる色彩で眉描きをする場合でも、前述したように同じ色彩で小開口ごとに眉描きをする場合でも、完成した眉の輪郭はくっきり表われる。しかし、例えば、眉頭の部分はくっきりしているよりも、その輪郭をぼかした方が自然に見えるのである。そこで、輪郭がくっきり描かれた眉の一部の輪郭をぼかそうとすると、眉が太くなるので、もとの眉の形と異なるものとなってしまうのである。すなわち、従来から眉の輪郭をくっきり描くための眉描き補助具は存在しているが、眉を必要以上に太くすることなく眉の輪郭の一部をぼかすことができる眉描き補助具は存在していないのである。
【先行技術文献】
【特許文献】
【０００４】
【特許文献１】特開２０１０−５７８６１号公報
【特許文献２】意匠登録第１３５３７５８号公報
【特許文献３】意匠登録第１２８４４６０号公報
【発明の概要】
【発明が解決しようとする課題】
【０００５】
本発明は、描いた眉を必要以上に太くすることなく眉の輪郭の一部をぼかしたりすることによって、より自然な仕上がりの眉を描くことができる眉描き補助具の提供を課題とする。
【課題を解決するための手段】
【０００６】
請求項１記載の発明は、少なくとも１つの眉描き用テンプレート部を有し、該テンプレート部は、眉頭部、眉山部及び眉尻部から成る眉の形状に形成された眉形の開口部を有し、該開口部は、開口と少なくとも一つのマスク部とを有し、該マスク部は、開口部の周縁部から開口部の眉形を原形とする開口の一部の領域を占めるように形成され、そのマスク部により、開口部の眉形を原形とする開口は、その原形である眉形の一部が欠けた眉形に形成されている構成である。
【０００７】
請求項２記載の発明は、マスク部の領域が、開口部の眉頭部の開口の一部を占めている構成である。
【０００８】
請求項３記載の発明は、マスク部と開口部の境界に、開口部の輪郭を示すラインが開口部の周縁部から連続するように表わされている構成である。
【０００９】
請求項４記載の発明は、開口部の周縁部の周囲に所定の距離を置いて、眉描き補助具の弾性力を補強するための弾性補強部が延在している構成である。
【００１０】
請求項５記載の発明は、開口部の開口を複数の小開口に分割する仕切り部が開口部に設けられている構成である。
【００１１】
請求項６記載の発明は、眉描き補助具が、可撓性を有するプラスチックで一体に形成されている構成である。
【発明の効果】
【００１２】
請求項１記載の発明は、テンプレート部が、眉頭部、眉山部及び眉尻部から成る眉の形状に形成された眉形の開口部を有し、該開口部は、開口と少なくとも一つのマスク部とを有し、該マスク部は、開口部の周縁部から開口部の眉形を原形とする開口の一部の領域を占めるように形成され、そのマスク部により、開口部の眉形を原形とする開口は、その原形である眉形の一部が欠けた眉形に形成されている。したがって、マスク部により眉の所定の部分が覆われるので、アイブローペンシルやアイブローパウダーによって眉を描くことができない未処理部分が残る。そこで、未処理部分に隣接する着色部分を指先やアイブローブラシで未処理部分まで延ばすことにより、輪郭のぼけた部分を作ることができ、自然な印象を与えることができる。また、未処理部分は、本来は眉形の一部であり、その部分をすでに描かれている眉墨で埋めるように延ばすことで本来の眉形が出来上がるのであるから、眉が太くなることがない。また、マスク部は大きさも含めて種々の形状にすることができるから、マスク部を用途に応じて適切な形状とすることができる。また、マスク部は、顔の眉の一部を完全に覆うものであるから、アイブローパウダーを使用する場合に、マスク部と眉の間にアイブローパウダーが入り込むことを確実に防止することができる。また、アイブローパウダーで眉を描くときはアイブローブラシを使用するので、仕切り部で分割された所定の小開口のみに眉を描こうとしても、ブラシが隣りの小開口に入り込み、必要ない部分に着色してしまうという虞がある。本発明は、マスク部で眉の一部を完全に覆うので必要ない部分を着色してしまう虞がない。また、未処理とする部分がマスク部で覆われるので、この部分に間違ってアイブローペンシルで描いてしまうことを確実に防止することができる。
【００１３】
さらに、マスク部により、開口部の眉形を原形とする開口は、その原形である眉形の一部が欠けた眉形に形成されている。したがって、眉を描いたときに完全な眉形とならず、マスク部によって、開口部の眉形を原形とする開口の輪郭の一部とその輪郭に接する開口の一部が欠けた眉形になる。そこで、欠けている開口の一部に隣接する眉形部分の眉墨を延ばして欠けた部分に塗ることによって、淡い色の眉形とすることができ、しかもその輪郭もぼかすことができるので、例えば眉頭の部分をそのように処理することによってより自然な仕上がりの眉を描くことができる。
【００１４】
請求項２記載の発明は、マスク部の領域が、開口部の眉頭部の開口の一部を占めている。したがって、その開口の眉頭部の一部及びその輪郭をぼかすことができるので、自然な仕上がりの眉とすることができる。
【００１５】
請求項３記載の発明は、マスク部と開口部の境界に、開口部の輪郭を示すラインが開口部の周縁部から連続するように表わされている。したがって、マスク部があっても眉形の原形が表示されるので、自分の眉に眉描き補助具を正確に宛がうことができ正確なイメージを得ることができる。
【００１６】
請求項４記載の発明は、開口部の周縁部の周囲に所定の距離を置いて、眉描き補助具の弾性力を補強するための弾性補強部が延在している。したがって、眉描き補助具を薄く形成しても、その腰を強くすることができる。すなわち、眉描き補助具の弾性力を大きくするために眉描き補助具全体を肉厚とすると、アイブローペンシルの先が太いために芯先が開口部の周縁部の下部まで届かず、眉形を描いたときに開口部の開口よりも小さな眉形になって、開口どおりの形にならないのである。肉厚部を設けることによって、眉描き補助具の開口部の周辺を薄くすることができるので、アイブローペンシルで開口と同じ形状の眉を描くことができる。
【００１７】
請求項５記載の発明は、開口部の開口を複数の小開口に分割する仕切り部が開口部に設けられている。したがって、アイブローペンシルで小開口ごとに濃さを変えたり、アイブローパウダーなどで小開口ごとに色を変えて眉を描くことにより、眉の輪郭をばかすことと相俟ってより自然で立体的な眉を描くことができる。
【図面の簡単な説明】
【００１８】
【図１】本発明の正面図である。
【図２】本発明の平面図である。
【図３】本発明の側面図である。
【図４】本発明のＡ−Ａ断面図である。
【図５】本発明の他の実施例の正面図である。
【発明を実施するための形態】
【００１９】
次に、本発明の実施例について説明する。眉描き補助具１は、半透明の可撓性を有するプラスチックで一体に形成され、ハンドル２の上端に一対のテンプレート部３，３が左右対称に翼状に延びるように設けられている。プラスチックはポリプロピレンが用いられているがこれに限定されるものではない。テンプレート部３は、人の眉をやや拡大した形状と大きさに形成され、開口８を有する開口部４が設けられている。開口部４は、眉頭部５、眉山部６及び眉尻部７から成る眉の形状に形成されている。開口８はリブ状の２つの仕切り部９，１０で３つの小開口１１，１２，１３に分割されている。また、開口部４の眉頭部５には、開口部４の周縁部１４から小開口１１の所定の領域を占めるマスク部１５が設けられている。マスク部１５は単一の縁部１６を有し、その縁部１６は波形に形成されている。仕切り部９，１０により３つの小開口１１，１２，１３が形成されるので、小開口ごとに眉墨の濃さを異なるものとしたり、色彩を異なるものとしたりすることにより、眉にグラデーションを付けることができる。グラデーションを付けることにより目元を華やかにすることができるから、このような眉描き補助具１は主に女性用として提供される。このように眉を描き分けることによってグラデーションなどを付ける目的として仕切り部９，１０が設けられている。これに対して、マスク部１５は、それが眉の所定の部分を覆うことにより、眉を描くことができない未処理部分を残すことができ外形が未完成な眉を描く際に、残された未処理部分に後からぼかしを入れることを目的とするものである。したがって、仕切り部のように開口を複数の小開口に分割して小開口ごとに眉墨の濃さを異なるものとしたり異なる色彩に描き分けたりするためのものではないから、この点で仕切り部と明確に異なっている。
【００２０】
開口部４の周縁部１４の周囲には所定の距離を置いて、眉描き補助具１の弾性力を補強するための弾性補強部１９が延在している。この弾性補強部１９は、テンプレート部３の正面からテンプレート部３の厚み方向に突出する肉厚部分を形成するように設けられている。弾性補強部１９を設けることにより、周縁部１４と弾性補強部１９との間の板状部１７の厚みを薄くすることができる。また、その板状部１７とマスク部１５の厚みは同一である。そのために、板状部１７とマスク部１５の境界線が表われず、その部分の開口部４の本来の輪郭を把握することができない。輪郭がはっきりしないと、描こうとする眉の全形を正確にイメージしたり明確に確認したりすることができない。そこで、開口部４の本来の輪郭を示すラインとして、板状部１７とマスク部１５の境界線を示す突条１８が設けられている。したがって、突条１８は周縁部１４と連続して眉形を表わしている。ラインは突条に形成したものに限定されないことは勿論であり、例えば、小さな突起を並べてラインとしたり、条溝としたり、線を描き入れたものであってもよい。ハンドル２の上方に垂直基準線３０と水平基準線３１が設けられており、これらの基準線により眉描き補助具１を顔に適正に宛がうことができる。
【００２１】
図４に示すように、開口部４の周縁部１４は外側に向かって広がる傾斜面に形成されている。これにより、アイブローペンシルの芯先を周縁部１４に沿わせながら、周縁部１４の形状どおりの眉を描くことができる。また、開口部の眉尻部７の端部２０はアール状に形成されているので、この部分にもアイブローペンシルの芯先を入れることができる。
【００２２】
図２に示すように、一対のテンプレート部３，３は湾曲するように形成されている。テンプレート部３，３の両端部間の直線距離は、テンプレート部３，３の端部が当たる顔の部分の幅よりもやや短く形成されている。これは、テンプレート部３，３をしならせながら顔に宛がって、テンプレート部３，３の内面を顔に確実に接触させるためである。テンプレート部３，３の内面は滑らかな湾曲面に形成されており、顔にぴったりフィットさせることができるから、顔とマスク部１５の間にアイブローパウダーなどが入り込むことを確実に防止でき、さらに、フィット後にテンプレート部３，３の位置を変えるときに、テンプレート部３，３の内面が顔の表面を滑って容易に移動できる。なお、ハンドル２に表示された上向き矢印３２と下向き矢印３３によって、眉描き補助具１を上下に移動させて位置を調節することが示されている。ハンドル２の上方で両テンプレート部３，３の間に、上縁が水平に形成された眉間当接部２１が設けられている。この眉間当接部２１は、顔の眉間部分に当接させることにより作業の安定感を持たせるためのものであると共に、ハンドル２の上部の補強も兼ねている。また、眉間当接部２１の中央に外側に凸の湾曲部３４が設けられている。この湾曲部３４は、テンプレート部３，３を押し付けて顔にぴったりフィットさせて行くときに、テンプレート部３，３のそれぞれの端部から徐々に圧迫された皮膚がテンプレート部３，３の間に寄る場合があっても、寄ることによりやや盛り上がった皮膚の逃げ場となるのである。
【００２３】
図３に示すように、ハンドル２は外側に張り出すようにＳ字形に形成されている。把持部２２はハンドル２の下部に形成されており、上下にそれぞれ反対向きの凹面２３，２４を有する。ハンドル２を持つときは、親指の腹を凹面２３に宛がい、その凹面２３と反対側の面である凸面２５に人差し指を宛がい、さらに凹面２４に中指を宛がうことにより眉描き補助具をしっかり持つことができる。この把持部２２は、顔の表面から離れているので持つ手が鼻に当たることがなく、眉を描く際に手が邪魔になることもない。また、ハンドル２は十分に長いので、使用時にハンドル２を持つ手が眼よりも下方に位置するから、視界を広くすることができる。
【００２４】
図５は、本発明の第二実施例を示したものである。この眉描き補助具２６は第一実施例のテンプレート部３から、仕切り部９，１０を取り除き、マスク部１５及び開口部４の形状及び大きさを変更して形成されている。開口部２９は男性的な眉の形をなしており、男性の使用に適するように形成されている。この実施例のマスク部２７は第一実施例のマスク部１５よりも大きく形成されている。また、マスク部２７の縁部２８は開口部２９を上下に横切り、その中央が眉尻方向にやや突出するように形成されている。仕切り部が設けられていないので、第一実施例のように華やかなグラデーションを付けることができず、このような点からも眉描き補助具２６は主に男性用として提供される。
【００２５】
次に、本実施態様のサイズについて説明する。双方の実施例の最大横幅であるテンプレート部３，３の端部間の直線距離はほぼ同じで約１１５ｍｍであり、最大縦幅は約８５ｍｍである。湾曲をなすテンプレート部を平面としたときの開口部４，２９の最大横幅は共に約６０ｍｍである。サイズは以上の通りであるが、本発明がこれらの数値に限定されないことは勿論である。
【００２６】
なお、本発明は前述した構成に基づいて種々の態様をとることが可能である。例えば、第一実施例について言えば、眉描き補助具１は透明でも不透明でもよく、したがって金属であってもよく、ハンドル２とテンプレート部３が一体でなくてもよい。また、テンプレート部３は単一であってもよい。そのとき、ハンドル２を有していても有していなくてもよい。テンプレート部３が単一であるときは、左右用の２つのテンプレート部をセットとして販売することが好ましい。また、一つのハンドルもセットに加えて複数の異なる種類のテンプレート部をハンドルに交換可能に取り付けることができるものでもよい。マスク部１５の形状が実施例に限定されないことは勿論である。マスク部１５に例えば直径が１ｍｍ以下の小孔を１又は複数設けてもよい。マスク部１５をそのように構成することにより、小孔に眉墨を入れて濃い目のぼかしとすることができる。したがって、濃い目のぼかしとするために眉を描いた後に未処理部に新たに眉墨を入れる手間を省くことができる。マスク部１５は、眉頭部５に設けることなく、用途に応じて眉山部６あるいは眉尻部７に設けてもよい。眉頭部５と眉山部６の双方など複数設けてもよいし、開口部４の周縁部１４の上辺又は下辺に設けてもよい。仕切り部９，１０はこの数に限定されるものでなく、１つでも３以上でもよい。ハンドル２から眉間当接部２１に亘って中央長さ方向にヒンジを設けることなどによって、折り畳み可能としてもよい。
【産業上の利用可能性】
【００２７】
本発明は、眉形の開口部に少なくとも１つのマスク部を設けることにより、描いた眉を必要以上に太くすることなく眉の輪郭の一部をぼかしたりすることよって、より自然な仕上がりの眉を描くことができる眉描き補助具を提供することができる。
【符号の説明】
【００２８】
１  眉描き補助具、    ２  ハンドル、    ３  テンプレート部、    ４  開口部、    ５  眉頭部、    ６  眉山部、    ７  眉尻部、    ８  開口、    ９  仕切り部、    １０  仕切り部、    １１  小開口、    １２  小開口、    １３  小開口、    １４  周縁部、    １５  マスク部、    １６  縁部、    １７  板状部、    １８  突条、    １９  弾性補強部、    ２０  端部、    ２１  眉間当接部、    ２２  把持部、    ２３  凹面、    ２４  凹面、    ２５  凸面、    ２６  眉描き補助具、    ２７  マスク部、    ２８  縁部、    ２９  開口部、    ３０  垂直基準線、    ３１  水平基準線、    ３２  上向き矢印、    ３３  下向き矢印、    ３４  湾曲部
【図１】
0005916210.tif 000002
【図２】
0005916210.tif 000003
【図３】
0005916210.tif 000004
【図４】
0005916210.tif 000005
【図５】
0005916210.tif 000006